(57)【特許請求の範囲】
【請求項１】
不織布からなる清掃用の長尺シートに、該長尺シートの長手方向に所定間隔で且つ該長尺シートの幅方向全体に亘って被切断部が設けられると共に、適宜な間隔で線状補強部材が設けられてなる長尺状清掃シートであって、
上記被切断部に、多数の切取り容易部が上記各線状補強部材と必ず交差するように不連続に設けられていることを特徴とする長尺状清掃シート。
【請求項２】
上記線状補強部材が、上記長尺シートの長手方向と幅方向にそれぞれ設けられて格子状とされており、上記切取り容易部が、平行四辺形形状からなり、長手方向に設けられている上記線状補強部材と交差するように設けられていることを特徴とする請求項１記載の長尺状清掃シート。
【請求項３】
上記切取り容易部は、熱的処理によって設けられており、上記線状補強部材との交差部分において、該線状補強部材の強度が弱められていることを特徴とする請求項２記載の長尺状清掃シート。
【請求項４】
上記切取り容易部は、表面に上記平行四辺形形状と実質的に同一形状の先端平面部を有する複数の突起を軸方向に所定間隔で配列してなる加熱ローラを上記被切断部に押圧して形成されていることを特徴とする請求項２記載の長尺状清掃シート。
【請求項５】
上記切取り容易部は、機械的加工によって打ち抜かれて設けられているか又はスリットとして設けられており、上記線状補強部材との交差部分において、該線状補強部材が切断されていることを特徴とする請求項２記載の長尺状清掃シート。
【請求項６】
上記切取り容易部は、超音波加工により形成されていることを特徴とする請求項２記載の長尺状清掃シート。
【請求項７】
上記被切断部に、ミシン目が設けられていることを特徴とする請求項１〜６の何れかに記載の長尺状清掃シート。
【発明の詳細な説明】
【０００１】
【発明の属する技術分野】
本発明は、例えば床等に付着する塵埃等をトラップして払拭するのに用いられる長尺状清掃シートに関し、特にロール状に巻かれた状態から所定長さに切り取って使用する際に、人の手によって簡単に切り取ることができる長尺状清掃シートに関する。
【０００２】
【従来の技術及び発明が解決しようとする課題】
例えば、床等に付着する塵埃やしみ等による汚れを拭き取るには、一般に不織布が用いられている。しかし、頑固な汚れを落とそうとした場合には、かなり力を入れて拭き取る必要があるため、摩擦力により不織布が破れたり穴が開いたりする虞れがある。
【０００３】
このため、従来においては、大きな摩擦力に耐え得るように、図１２に示すように、不織布１０１に樹脂製の細い線材１０２を縦横に複数設けてなる清掃シート１０３が提案されている。この清掃シート１０３によれば、樹脂製の線材１０２が不織布１０１に設けられていることから、シート自体の機械的強度が高まり、力を入れて床等を拭いても摩擦力によっては簡単には破れたりすることがない。
【０００４】
ところで、この清掃シート１０３を、例えばトイレットペーパーのようにロール巻きして所定長さに切り取って使用しようとする場合には、容易に切り取ることができるように、切断位置にミシン目を設けることが望ましい。すなわち、長尺状をなす清掃シート１０３に、図１２に示すように、所定間隔でミシン刃１０４によってミシン目である切込み部１０５を形成する。
【０００５】
しかし、上記のようにミシン目を設けたとしても、ミシン刃１０４の各刃の間には切刃の無い空隙部分１０６があるため、図１２に示すように、その空隙部分１０６に対向して線材１０２が位置した場合には、該線材１０２によって清掃シート１０３を切り取ることは困難となる。
【０００６】
また、図１２に示すような場合が生じるのを避けるために、ミシン刃１０４の各刃のピッチを短くしても、図１３に示すように、空隙部分１０６に線材１０２が対応することがあり、このような場合には、ミシン目に沿って清掃シート１０３を切り取り難い。更に、空隙部分１０６を極く小さくすることも考えられるが、そのようにすると、清掃シートは、長尺シートとして取り扱いが困難な程度のつながり強度しかなくなってしまう。
【０００７】
従って、本発明の目的は、摩擦によって簡単に破けることがなく、しかも長尺シートから人の手によって所定長さに容易に切り取ることができる長尺状清掃シートを提供することにある。
【０００８】
【課題を解決するための手段】
請求項１記載の発明は、不織布からなる清掃用の長尺シートに、該長尺シートの長手方向に所定間隔で且つ該長尺シートの幅方向全体に亘って被切断部が設けられると共に、適宜な間隔で線状補強部材が設けられてなる長尺状清掃シートであって、上記被切断部に、多数の切取り容易部が上記各線状補強部材と必ず交差するように不連続に設けられていることを特徴とする長尺状清掃シートを提供することにより、上記の目的を達成したものである。
【０００９】
請求項２記載の発明においては、上記線状補強部材が、上記長尺シートの長手方向と幅方向にそれぞれ設けられて格子状とされており、上記切取り容易部が、平行四辺形形状からなり、長手方向に設けられている上記線状補強部材と交差するように設けられていることを特徴とする請求項１記載の長尺状清掃シートを提供するものである。
【００１０】
請求項３記載の発明においては、上記切取り容易部は、熱的処理によって設けられており、上記線状補強部材との交差部分において、該線状補強部材の強度が弱められてなることを特徴とする請求項２記載の長尺状清掃シートを提供するものである。
【００１１】
請求項４記載の発明においては、上記切取り容易部は、表面に上記平行四辺形形状と実質的に同一形状の先端平面部を有する複数の突起を軸方向に所定間隔で配列してなる加熱ローラを上記被切断部に押圧して形成されていることを特徴とする請求項２記載の長尺状清掃シートを提供するものである。
【００１２】
請求項５記載の発明においては、上記切取り容易部は、機械的加工によって打ち抜かれているか又はスリットとして設けられており、上記線状補強部材との交差部分において、該線状補強部材が切断されていることを特徴とする請求項２記載の長尺状清掃シートを提供するものである。
【００１３】
請求項６記載の発明においては、上記切取り容易部は、超音波加工により形成されていることを特徴とする請求項２記載の長尺状清掃シートを提供するものである。
【００１４】
請求項７記載の発明においては、上記被切断部に、ミシン目が設けられていることを特徴とする請求項１〜６の何れかに記載の長尺状清掃シートを提供するものである。
【００１５】
【発明の実施の形態】
以下、本発明の長尺状清掃シートの好ましい一実施形態について、図面を参照して説明する。
【００１６】
図１はロール状に巻回した長尺状清掃シートの斜視図、図２は長尺状清掃シートの平面図、図３は長尺状清掃シートの要部拡大平面図、図４は切取り容易部を形成するためのローラを示すもので、（ａ）は正面図、（ｂ）は断面図、図５はローラ表面に形成された突起を示し、（ａ）は平面図、（ｂ）は断面図である。
【００１７】
本実施形態の長尺状清掃シート１は、図１及び図２に示すように、不織布からなる清掃用の長尺シート２に、該長尺シート２の長手方向（図１中矢印Ｘ方向）に所定間隔で且つ該長尺シート２の幅方向（図１中矢印Ｙ方向）全体に亘って被切断部３が設けられると共に、適宜な間隔で線状補強部材４が設けられてなる長尺状清掃シートである。
【００１８】
なお、本明細書において、上記「被切断部」３は、長尺状清掃シート１を所定長さに切断する際の切断される部位を意味する。
【００１９】
上記不織布を構成する繊維としては、ポリエステル系、ポリアミド系、ポリオレフィン系などの熱可塑性繊維、或いはそれらの複合化繊維、分割繊維又はメルトブロー法で製造された極細繊維、アセテートなどの半合成繊維、キュプラー、レーヨンなどの再生繊維、或いは綿（コットン）などの天然繊維のいずれでもよく、それらの混綿でもよい。
【００２０】
本実施形態の長尺状清掃シート１について更に詳述する。本実施形態の長尺状清掃シート１は、ロール状に巻回され、長尺シート２の長手方向に所定間隔をもって形成された被切断部３において一枚一枚切り取られ、モップ状の掃除具等に装着して使用されるものである。
【００２１】
長尺シート２は、例えば床等に付着する塵埃や汚れ等を払拭し得るのに有用な不織布からなる。不織布は、繊維からなるため、確実に塵埃等をその繊維内にトラップすることができ、しかも一度トラップした塵埃等は簡単に落ちないようになされている。この長尺シート２は、帯状に形成され、例えば円柱又は円筒状をなす巻き芯５に巻回されている。
【００２２】
本実施形態では、長尺シート２を構成する不織布として水流交絡法によって形成した１．５ｄ（デニール）×ｍｍ、坪量５３±５ｇ／ｍ２  のポリエチレンテレフタレート（ＰＥＴ）を使用した。
なお、長尺シート２としては、坪量が１０〜４００ｇ／ｍ２  のものが好ましく、４０〜１００ｇ／ｍ２  のものがより好ましい。
【００２３】
線状補強部材４は、図２に示すように、かなり強い力でこの長尺状清掃シート１を床等に擦っても破けたりすることがないように、該長尺シート２の機械的強度を高める役目をするものである。この線状補強部材４は、例えば摩擦力に対して強く機械的強度の高いポリプロピレン（ＰＰ）等の熱可塑性樹脂線材からなり、長尺シート２の長手方向と幅方向に所定間隔でそれぞれ設けられることにより、格子状とされている。つまり、線状補強部材４は、縦横に線材が配置されることにより、格子状をなす網のようになされている。なお、縦と横にそれぞれ設けられた線状補強部材４の交差する部分は、図３に示すように連結されている。
【００２４】
そして、この線状補強部材４は、上記長尺シート２の一主面に設けられるのではなく、不織布からなる長尺シート２に埋め込まれた形とされている。言い換えれば、線状補強部材４の両側に、不織布が設けられた構成となっている。
【００２５】
本実施形態では、線状補強部材４として、縦横の間隔が８．５ｍｍで坪量５ｇ／ｍ２  のポリプロピレン製ネットを使用した。
なお、線状補強部材４としては、縦横の間隔が７〜２０ｍｍで坪量３〜８ｇ／ｍ２  のポリプロピレン製ネットが好ましい。
【００２６】
上記被切断部３は、図１及び図２に示すように、ロール巻きされた長尺状清掃シート１より清掃シートを所定長さに切り取るための切断位置で、上記長尺シート２の長手方向に所定間隔を持って設けられている。その長尺状清掃シート１の切取り長さとしては、例えばモップの拭き取り部に取り付けられる程度の長さとされる。なお、被切断部３は、図３中領域Ｈで示す。
【００２７】
この被切断部３には、図３中矢印Ｙで示す長尺シート２の幅方向に、ミシン刃（図示は省略する）によって、所定間隔を持って複数の切込み部６が設けられている。これら切込み部６は、図３中矢印Ｘで示す長尺シート２の長手方向に設けられる各線材４の間にそれぞれ設けられ、その切り口が細長いスリットとされている。この切込み部６においては、ミシン刃によってその部分の繊維が切断されている。
【００２８】
また、この被切断部３には、図３に示すように、人の手によって容易に清掃シートを切り取ることができるように、平面視平行四辺形形状とされた多数の切取り容易部７（図３中斜線で示す領域）が設けられている。この切取り容易部７は、上記各線状補強部材４と必ず交差するように不連続に設けられ、上記長尺シート２の長手方向に設けられた各線状補強部材４との交差部分において、該線状補強部材４の機械的強度を弱めるようになっている。
【００２９】
なお、図３は、図２の要部拡大平面図であるが、図２では切取り容易部７の配列を図面上明瞭なものとするために、線状補強部材４と交差する部分の切取り容易部７は省略してある。
【００３０】
上記切取り容易部７は、例えば図４に示すように、表面に平面視略平行四辺形形状とされる複数の突起８を軸方向に所定間隔で配列してなるローラ９に熱を加えて、該ローラ９を上記被切断部３に押圧することによって形成されている。このローラ９は、中心部に回転軸（図示は省略する）を挿通させる回転軸取付孔１０が設けられた円筒体として形成されている。
【００３１】
そして、このローラ９の周面には、例えば図５に示すように、ローラ９の軸方向に沿って所定間隔で平面視略平行四辺形形状とされた複数の突起８が設けられている。これら突起８は、長尺シート２の長手方向に設けられる線状補強部材４に対して斜めとされ、ローラ９の軸方向に沿って該線状補強部材４と斜交するパターンとして形成されている。また、隣り合う突起８同士は、図５（ａ）中寸法ｃで示すように、ローラ軸方向と直交する方向でオーバーラップするようになされている。
【００３２】
また、この突起８は、先端が平面とされた断面略台形状をなす突起とされている。このように、ローラ９の軸方向に沿って所定間隔で複数配置された突起８は、長尺状清掃シート１の１枚分の長さとなる位置に設けられている。この例のローラ９には、上記突起９が４箇所に設けられている。
【００３３】
この例では、突起８の配列ピッチＰを１．５ｍｍ、突起先端部の平坦幅Ｗを０．７ｍｍ、長さＬを２．０ｍｍとした。
【００３４】
このような突起８が設けられたローラ９に熱を加えて、上記被切断部３に該ローラ９を押圧すると、図２に示すように、長尺シート２の幅方向に沿って平行四辺形形状の突起８の後が該長尺シート２に形成されて、切取り容易部７が形成される。このようにして形成された切取り容易部７は、上記ローラ９の突起先端面の形状と実質的に同一形状の平行四辺形形状をなすパターンとされ、隣り合うパターン同士の一部がオーバーラップする。そして、これら切取り容易部７のうち上記被切断部３における上記線状補強部材４との交差部分では、熱によって線状補強部材４がダメージを受けて機械的強度が弱められる。なお、切取り容易部７がない部分では、長尺シート２の強度が保たれている。
【００３５】
上記線状補強部材としては、本実施形態のように、熱によるダメージによりその強度が弱められる場合には、ポリプロピレン等の熱可塑性繊維を使用することが好ましいが、熱以外によるダメージによりその強度が弱められる場合は、清掃シートとしての強度を補強し得るものであれば、特にその材質は制限されない。
【００３６】
この線状補強部材４が弱められた切取り容易部７では、ミシン目がなくても人の手によって容易に切り取ることができるようになされている。もちろん、この部分の切取り容易部７は、長尺状清掃シート１をロール状に巻回するときに、該切取り容易部７から簡単に切り離れてしまわないような強度とされている。
【００３７】
以上のような構成とされた長尺状清掃シート１によれば、被切断部３に切取り容易部７が設けられているため、誰にでも簡単に被切断部３より１枚分の清掃シートを切り取ることができる。しかも、切取り容易部７に加えてミシン目である切込み部６が被切断部３に設けられていることから、より一層切り取りが容易なものとなる。また、この長尺状清掃シート１をロール状にした場合であっても、簡単に被切断部３より切り離れない長尺状清掃シート１を提供することができる。
【００３８】
本発明の長尺状清掃シートは、上述した実施形態に限定されることなく、本発明の趣旨を逸脱しない限り適宜変更が可能である。例えば、上述の実施形態では、モップ状の清掃具に本発明の長尺状清掃シート１を適用したが、単にロール状とされた長尺状清掃シート１から切り取って手に持って使用するようにしてもよい。
【００３９】
また、切取り容易部７のパターンとしては、先の実施形態のものに比べて、図６に示すように、配列ピッチＰ及びパターン幅を大きくしてもよい。もちろん、この場合でも、隣り合う各切取り容易部７同士の一部が、先の実施形態のものと同じようにオーバーラップして設けられるようにする（以下、図７〜図９で同じ）。または、図７に示すように、長尺シートの長手方向の長さＬを長くしたパターンとしてもよい。或いは、図８に示すように、切取り容易部７を、長尺シート１の幅方向に平行なパターン７ａと、線状補強部材４と斜交するパターン７ｂの交互の繰り返しパターンとしたものでもよい。または、図８のパターンのうち長尺シート１の幅方向に平行なパターン７ａを、図９に示すように、長くしてもよい。。
【００４０】
また、上述の実施形態では、ローラ９に熱をかけてこのローラ９を被切断部３に押圧することによって切取り容易部７を形成したが、超音波加工による熱により被切断部３の線状補強部材４の機械的強度を弱めることによって、切取り容易部７を形成するようにしてもよい。
【００４１】
また、切取り容易部７は、上記のように熱的処理によって線状補強部材４の強度を弱めることにより形成する他、機械的加工によって打ち抜かれて設けられているか又はスリットとして設けられており、該線状補強部材４との交差部分において、該線状補強部材４が切断されて形成されていてもよい。
【００４２】
すなわち、図１０に示すように、被切断部３における長尺シート２を、機械的加工により打ち抜いて平行四辺形形状の複数の穴あきパターンとし、上記長尺シート２の長手方向に設けられる線状補強部材４との交差部分において、該線状補強部材４を切断することにより、切取り容易部７を形成する。また、図１１に示すように、被切断部３における長尺シート２を、ダイカッター等によって斜めのスリットパターンとし、上記長尺シート２の長手方向に設けられる線状補強部材４との交差部分において、該線状補強部材４を切断することにより、切取り容易部７を形成する。
【００４３】
また、上述の実施形態では、長尺シート２を巻き芯５に巻回しているが、該巻き芯５に巻回しないようにしてもよい。つまり、コアレスタイプとしてもよい。
【００４４】
【発明の効果】
以上の説明からも明らかなように、本発明によれば、摩擦によって簡単に破けることがなく、しかも長尺シートから人の手によって所定長さに容易に切り取ることができる長尺状清掃シートを提供することができる。
【図面の簡単な説明】
【図１】本発明のロール状に巻回した長尺状清掃シートの斜視図である。
【図２】本発明の長尺状清掃シートの平面図である。
【図３】本発明の長尺状清掃シートの要部拡大平面図である。
【図４】切取り容易部を形成するのに用いたローラを示すもので、（ａ）は正面図、（ｂ）は断面図である。
【図５】ローラ表面に設けられる突起を示し、（ａ）は平面図、（ｂ）は断面図である。
【図６】切取り容易部の他のパターン例を示す平面図である。
【図７】切取り容易部のさらに他のパターン例を示す平面図である。
【図８】切取り容易部のさらに他のパターン例を示す平面図である。
【図９】切取り容易部のさらに他のパターン例を示す平面図である。
【図１０】切取り容易部を打ち抜きによって形成した例を示す平面図である。
【図１１】切取り容易部をスリットによって形成した例を示す平面図である。
【図１２】ミシン刃の断面図と共に示す、従来の清掃シートの要部拡大平面図である。
【図１３】ミシン刃の断面図と共に示す、従来の清掃シートの他の例を示す要部拡大平面図である。
【符号の説明】
１  長尺状清掃シート
２  長尺シート
３  被切断部
４  線状補強部材
６  切込み
７  切取り容易部
【図１】
0003544048.tif 000002
【図２】
0003544048.tif 000003
【図３】
0003544048.tif 000004
【図４】
0003544048.tif 000005
【図５】
0003544048.tif 000006
【図６】
0003544048.tif 000007
【図７】
0003544048.tif 000008
【図８】
0003544048.tif 000009
【図９】
0003544048.tif 000010
【図１０】
0003544048.tif 000011
【図１１】
0003544048.tif 000012
【図１２】
0003544048.tif 000013
【図１３】
0003544048.tif 000014